(57)【要約】【課題】筐体から容易に着脱できる軽量な電気集塵機、および空気清浄機を提供する。【解決手段】電気集塵機は、放電電極と対向電極とを備え、放電により塵埃を帯電させる荷電部と、荷電部で帯電された塵埃を捕集する集塵部と、荷電部および集塵部が収容される枠部を有し、所定の筐体から着脱可能に設けられる取外しユニットと、を備える。集塵部は、筐体に保持された平板状の複数の高圧電極と、枠部に保持された平板状の複数の集塵電極とを備える。取外しユニットは、筐体に複数の高圧電極が保持された状態で、筐体から着脱可能に形成される。筐体に取外しユニットを装着した状態では、高圧電極と集塵電極とが平行かつ互い違いに配置される。【選択図】図２Ｂ
2019177345.tif 000002
【特許請求の範囲】
【請求項１】
放電電極と対向電極とを備え、放電により塵埃を帯電させる荷電部と、
前記荷電部で帯電された塵埃を捕集する集塵部と、
前記荷電部および前記集塵部が収容される枠部を有し、所定の筐体から着脱可能に設けられる取外しユニットと、
を備え、
前記集塵部は、
前記筐体に保持された平板状の複数の高圧電極と、前記枠部に保持された平板状の複数の集塵電極とを備え、
前記取外しユニットは、前記筐体に前記複数の高圧電極が保持された状態で、前記筐体から着脱可能に形成され、
前記筐体に前記取外しユニットを装着した状態では、前記高圧電極と前記集塵電極とが平行かつ互い違いに配置される、電気集塵機。
【請求項２】
前記荷電部は、前記集塵電極と一体で前記取外しユニットに収容され、
前記高圧電極に給電する電源部は、前記筐体側に収容される、請求項１に記載の電気集塵機。
【請求項３】
前記取外しユニットが前記筐体に装着された際に前記高圧電極と前記電源部とを通電する通電スイッチを備える、請求項２に記載の電気集塵機。
【請求項４】
前記複数の高圧電極を所定間隔で保持する高圧電極保持部材と、前記複数の集塵電極を所定間隔で保持する集塵電極保持部材とを備え、
前記高圧電極は、
前記集塵電極保持部材と対応する位置に形成された第１の切欠部を有し、
前記集塵電極は、
前記高圧電極保持部材と対応する位置に形成された第２の切欠部を有する、請求項１から３のいずれか一項に記載の電気集塵機。
【請求項５】
前記高圧電極保持部材は、平板状の前記高圧電極を厚み方向で挟持する複数の第１の挟持部と、前記複数の第１の挟持部同士を連結する第１の連結部とを備え、
前記集塵電極保持部材は、平板状の前記集塵電極を厚み方向で挟持する複数の第２の挟持部と、前記複数の第２の挟持部同士を連結する第２の連結部とを備え、
前記第１の挟持部および前記第２の挟持部は、前記取外しユニットの着脱方向と平行に形成されている、請求項４に記載の電気集塵機。
【発明の詳細な説明】
【技術分野】
【０００１】
本発明は、電気集塵機に関する。
【背景技術】
【０００２】
空気中に含まれている塵埃を除去する電気集塵機として、塵埃に電荷を帯電させる荷電部と、帯電させた塵埃を捕集する集塵部とを備えるものがある。集塵部は、電圧が印加されることにより帯電する集塵電極部を有しており、塵埃は帯電した集塵電極部に吸着されることで捕集される。
【０００３】
また、かかる電気集塵機を、筐体から取り外し可能なユニットとし、塵埃が付着した電気集塵機の電極を使用者が洗浄できるようにして、集塵性能の回復を可能としたものが知られている（例えば、特許文献１を参照）。
【先行技術文献】
【特許文献】
【０００４】
【特許文献１】国際公開第２０１６／１４３００５号
【発明の概要】
【発明が解決しようとする課題】
【０００５】
しかしながら、特許文献１にあっては、電気集塵機全体を取り外すようにしているため、取外し可能なユニット部分が大型化し、筐体からの着脱が使用者の負担となっていた。
【０００６】
開示の技術は、上記に鑑みてなされたものであって、筐体から容易に着脱することのできる軽量な電気集塵機を提供することを目的とする。
【課題を解決するための手段】
【０００７】
本願の開示する電気集塵機の一態様は、放電電極と対向電極とを備え、放電により塵埃を帯電させる荷電部と、荷電部で帯電された塵埃を捕集する集塵部と、荷電部および集塵部が収容される枠部を有し、所定の筐体から着脱可能に設けられる取外しユニットと、を備える。集塵部は、筐体に保持された平板状の複数の高圧電極と、枠部に保持された平板状の複数の集塵電極とを備える。取外しユニットは、筐体に複数の高圧電極が保持された状態で、筐体から着脱可能に形成される。筐体に取外しユニットを装着した状態では、高圧電極と集塵電極とが平行かつ互い違いに配置される。
【発明の効果】
【０００８】
本願の開示する電気集塵機の一態様によれば、筐体から容易に着脱できる軽量な構成とすることができる。
【図面の簡単な説明】
【０００９】
【図１】図１は、実施例の電気集塵機を備える空気清浄機の概略構成を示す模式図である。
【図２Ａ】図２Ａは、集塵電極部の内部構造の概略を示す模式図である。
【図２Ｂ】図２Ｂは、集塵電極部の取外しユニットを筐体から取り出した状態を示す模式図である。
【図３Ａ】図３Ａは、高圧電極と集塵電極とを示す模式図である。
【図３Ｂ】図３Ｂは、取外しユニットを筐体に取付けた場合の高圧電極と集塵電極とを示す模式図である。
【図４】図４は、複数の高圧電極の保持構造を示すための模式図である。
【図５Ａ】図５Ａは、実施例の空気清浄機の筐体を前面側から見た斜視図である。
【図５Ｂ】図５Ｂは、空気清浄機の筐体から取外しユニットを取り外した状態を示す前面側から見た斜視図である。
【図６Ａ】図６Ａは、実施例の空気清浄機の筐体を背面側から見た斜視図である。
【図６Ｂ】図６Ｂは、空気清浄機の筐体から取外しユニットを取り外した状態を示す背面側から見た斜視図である。
【図７】図７は、筐体に設けられた電気集塵機収容空間を正面視で示す模式図である。
【図８】図８は、電気集塵機収容空間を断面視で示す模式図である。
【図９】図９は、電気集塵機収容空間に取外しユニットを装着した状態を模式的に示す正面図である。
【図１０】図１０は、電気集塵機収容空間に取外しユニットを装着した状態を断面視で示す模式図である。
【図１１】図１１は、高圧電極への給電構造の変形例を示す模式図である。
【図１２】図１２は、高圧電極の端部の保持構造の変形例を示す模式図である。
【発明を実施するための形態】
【００１０】
以下に、本願の開示する電気集塵機、および空気清浄機の実施例を図面に基づいて詳細に説明する。なお、以下の実施例によって、本願の開示する電気集塵機および空気清浄機が限定されるものではない。また、以下の説明による構成要素には、当業者が置換可能かつ容易なもの、或いは実質的同一のもの、いわゆる均等の範囲のものが含まれる。
【実施例】
【００１１】
まず、実施例の電気集塵機を備える空気清浄機の概略について説明する。図１は、実施例に係る電気集塵機を備える空気清浄機１の概略構成を示す模式図である。空気清浄機１は、図１に示すように、空気を清浄化するための装置類を収容する筐体１０を備える。筐体１０は、室内の空気を吸引する吸込口１１と、清浄化された空気を室内に吹き出す吹出口１２とが形成されている。また、筐体１０は、合成樹脂材で成形された複数のパネルによって略直方体状に形成されている。なお、以下では、図示する空気清浄機１の奥行方向をＸ方向、正面の幅方向をＹ方向、高さ方向をＺ方向とする。
【００１２】
筐体１０内には、吸引された空気から大きな塵埃を除去するプレフィルタ１４と、プレフィルタ１４を通過した空気中の塵埃を電気的に集塵する複数の電気集塵機２と、電気集塵機２を通過した空気を脱臭処理する脱臭フィルタ５とが設けられる。電気集塵機２は、図示するように、荷電部３と集塵部４とを備える。したがって、筐体１０は、電気集塵機２の荷電部３と集塵部４とを収容することになる。
【００１３】
プレフィルタ１４は、例えば糸状のＰＥＴ材が編みこまれた網目構造を有し、図示しない樹脂枠で保持されており、筐体１０の内部に吸い込まれた空気に含まれている比較的大きな塵埃を捕集する。脱臭フィルタ５は、触媒フィルタを有し、プレフィルタ１４および電気集塵機２で塵埃が除かれた後、触媒フィルタで例えばアンモニアやメチルメルカプタン等の臭気成分やホルムアルデヒド等の有害成分を取り除く脱臭処理を行う。なお、触媒フィルタは、加熱により臭気の吸着機能が再生できる加熱再生型の構造を有することが好ましい。
【００１４】
電気集塵機２は、本実施例においては筐体１０内に２つ上下に配置されている。なお、電気集塵機２の設置数は、何ら限定されるものではなく、１つでもよいし、３つ以上であっても構わない。各電気集塵機２は、前述したように、荷電部３と集塵部４とを備えており、荷電部３で塵埃を帯電させ、荷電部３で帯電させた塵埃を集塵部４で捕集する。荷電部３は、電極である放電電極（不図示）および対向電極（不図示）を有する。また、集塵部４は、詳しくは後述する高圧電極４１と集塵電極４２とを有する。
【００１５】
また、筐体１０内には、脱臭フィルタ５の下流側に配置されるファン６と、ファン６を回転させるモータ６１と、電気集塵機２やモータ６１を制御する制御部を有する電源制御基板７とが設けられる。さらに、筐体１０内には、荷電部３に電力を供給する電源部である荷電部用高圧電源３０と、集塵部４に電力を供給する電源部である集塵部用高圧電源４０と、吸込口１１から吸引された空気の塵埃濃度を検出する埃センサ１３とが設けられる。また、筐体１０には、運転開始操作、運転停止操作、風量設定などを行う操作部（図示せず）や、操作表示基板１５が設けられる。なお、操作部は、筐体１０の上面部に設けられており、電源ボタンや運転モード切り換えボタン等の空気清浄機１を操作するボタンが配置されるとともに、空気清浄機１の運転状態や埃センサ１３等における検出結果を表示する表示部が配置される。
【００１６】
こうして、図中の矢印ｆで示されるように、吸込口１１から吸引された室内の空気は、空気中の塵埃がプレフィルタ１４と電気集塵機２とにより捕集されることで除塵される。そして、清浄化された清浄空気が吹出口１２から室内に吹き出される。特に、本実施例に係る空気清浄機１は、脱臭フィルタ５を備えているため、脱臭効果も奏する。
【００１７】
ここで、電気集塵機２の集塵作用について簡単に説明する。電気集塵機２の荷電部３の放電電極に予め設定された正極の高電圧（例えば＋４．７ｋＶ）を印加し、対向電極を荷電部用高圧電源３０の接地極（アース）に接続することで、放電電極と対向電極との間でコロナ放電が起こる。すると、放電電極と対向電極との間には、電子と空気分子が正に帯電したイオンが満たされる。そして、正イオンで満たされた空間を塵埃が通過する際に、その通過時間と放電電極と対向電極とで作られる電界の強さに応じて、イオンと塵埃の衝突による電荷の移動が起こり、塵埃に正の電荷が帯電する。
【００１８】
一方、集塵部４の高圧電極４１には、予め設定された正極の高電圧（例えば＋４．７ｋＶ）を印加し、集塵電極４２を集塵部用高圧電源４０の接地極(アース)に接続すると、両電極間に所定の静電界が形成される。荷電部３で正に帯電した塵埃は、集塵部４に移動すると、同極性の高圧電極４１から反発する方向に斥力を受けるとともに、静電界により塵埃と反対極性の集塵電極４２に吸引される方向に力を受け、集塵電極４２に到達する。そして、集塵電極４２に塵埃が付着することで、塵埃が捕集される。さらに、正に帯電されていた塵埃が集塵電極４２に触れると、塵埃に帯電していた電荷がアースに流される。そのため、帯電した塵埃の付着により集塵電極４２が正に帯電してしまうことが防止され、捕集力の低下が抑制されている。
【００１９】
ここで、電気集塵機２の集塵部４に関し、高圧電極４１は筐体１０側に固定される一方、塵埃を捕集する集塵電極４２は、筐体１０から着脱可能な取外しユニット２０に保持されている。以下、かかる構成について、図面を参照しながら具体的に説明する。なお、以下では、電気集塵機２についての奥行方向、正面の幅方向、高さ方向については、空気清浄機１に装着された状態を基準とし、奥行方向をＸ方向、正面の幅方向をＹ方向、高さ方向をＺ方向とする。
【００２０】
図２Ａは、電気集塵機２の内部構造の概略を示す模式図、図２Ｂは、電気集塵機２の取外しユニット２０を筐体１０から取り出した状態を示す模式図である。また、図３Ａは、高圧電極４１と集塵電極４２とを示す模式図、図３Ｂは、取外しユニット２０を筐体１０に取付けた場合の高圧電極４１と集塵電極４２とを示す模式図である。また、図４は、複数の高圧電極４１の保持構造を示すための模式図である。なお、図２Ａは、吸込口１１が設けられた前面パネルを外した状態を示す。
【００２１】
図２Ａに示すように、筐体１０の前面には、電気集塵機２を収容するための電気集塵機収容空間１６が設けられている。すなわち、筐体１０の内部に、フレームや壁材などによって区画された電気集塵機収容空間１６が形成されている。図２Ａおよび図２Ｂに示すように、電気集塵機２は、荷電部３および集塵部４を収容する枠部２０１を有する取外しユニット２０を備えており、かかる取外しユニット２０は、空気清浄機１の筐体１０から着脱可能に設けられる。すなわち、図２Ｂに示すように、取外しユニット２０は、荷電部３と集塵電極４２とを内蔵する枠部２０１ごと、電気集塵機収容空間１６に装着可能に構成されている。
【００２２】
また、図２Ｂや後述する図５Ｂおよび図６Ｂに示すように、電気集塵機収容空間１６を区画する後面部１６ａには、複数の高圧電極４１が取付けられている。取外しユニット２０を電気集塵機収容空間１６に装着したときに、図２Ａや後述する図５Ａおよび図６Ａに示すように、複数の平板状の高圧電極４１と複数の平板状の集塵電極４２とが平行かつ互い違いに配置された状態となり、集塵部４として機能することになる。また、前述したように、集塵部用高圧電源４０は筐体１０に設けられており、集塵部用高圧電源４０から後述する給電部材となる第１保持部材４１５を介して高圧電極４１に給電される。
【００２３】
このように、実施例に係る電気集塵機２の集塵部４は、筐体１０側に固定された複数の高圧電極４１と、筐体１０に着脱自在な取外しユニット２０に保持された複数の集塵電極４２とに分離できるように構成される。そのため、取外しユニット２０は、筐体１０側に複数の高圧電極４１が固定された状態で、筐体１０から着脱可能に構成されている。そして、図２Ａに示すように、筐体１０に取外しユニット２０を装着した状態では、複数の高圧電極４１と複数の集塵電極４２とが平行かつ互い違いに配置されて集塵部４が構成される。
【００２４】
上述したように、筐体１０に対して着脱自在に構成された取外しユニット２０の枠部２０１には、荷電部３と、塵埃が主に捕集される集塵電極４２とが収容され、高圧電極４１は筐体１０側に固定されている。そのため、取外しユニット２０は、高圧電極４１を含む集塵部４全体を収容する場合よりも小型化・軽量化されている。したがって、例えば、集塵電極４２に塵埃が溜まった場合、ユーザは、取外しユニット２０を筐体１０から簡単に取り外して、つけおき洗いや水拭きなどで集塵電極４２を適宜洗浄し、集塵能力の回復を図ることができる。なお、前述のように、塵埃は主に集塵電極４２に捕集されるため、高圧電極４１には殆ど付着しない。よって、通常は高圧電極４１を洗浄する必要がない。
【００２５】
また、筐体１０に取外しユニット２０を装着した状態では、高圧電極４１と集塵電極４２は、後述するように互い違いに積層されている。一方、集塵部４の高圧電極４１と集塵電極４２とが分離された場合、積層状態となっている複数の高圧電極４１間の間隙や、積層状態となっている複数の集塵電極４２間の間隙が広くなるため、高圧電極４１および集塵電極４２の清掃作業が容易となる。
【００２６】
ところで、本実施例における荷電部３は、集塵電極４２と一体に取外しユニット２０に収容されている。一般に、集塵部４は荷電部３よりも大型であって、なおかつ集塵部４が占める体積を小さくすることによる性能低下の影響も荷電部３よりも大きい。しかし、当該荷電部３と集塵電極４２とを着脱自在な取外しユニット２０に収容し、この取外しユニット２０を筐体１０へ装着したときに集塵部４が形成されるようにすることで、取外しユニット２０を小型化・軽量化しつつ、集塵部４の実質的な有効体積を減らさずに集塵性能を維持することできる。
【００２７】
ここで、筐体１０側に設けられた高圧電極４１と、取外しユニット２０に設けられた集塵電極４２とについて、さらに説明を加える。図３Ａおよび図４に示すように、高圧電極４１は、複数の高圧電極本体４１０を有する。図４に示すように、高圧電極本体４１０は平板状に形成されており、その長手方向（Ｙ軸方向）には、Ｘ軸方向の一端から他端側に向かって切り欠かれた第１の切欠部４１６が複数箇所形成されている。すなわち、高圧電極本体４１０はＺ軸方向から見た形状が櫛歯状に形成されている。かかる高圧電極本体４１０が、その厚み方向、すなわちＺ方向に所定間隔をあけて複数積層されている（図２Ｂおよび後述の図６Ａ等参照）。
【００２８】
複数の高圧電極４１を、所定間隔をあけて積層するために、ここでは、複数の高圧電極４１を保持可能な第１保持部材４１５を用いている。第１保持部材４１５は、図４に示すように、Ｘ軸方向に延在するクリップ部４１５ａと、Ｚ軸方向に延在する連結部４１５ｂとを有する。クリップ部４１５ａは、平板状の高圧電極本体４１０を厚み方向（Ｚ軸方向）で挟持する第１の挟持部として機能している。連結部４１５ｂは、複数のクリップ部４１５ａ同士を所定間隔で連結している。また、第１保持部材４１５は、高圧電極４１へ給電する給電部材を兼用しており、複数の高圧電極４１は、それぞれクリップ部４１５ａにより挟持され、保持されつつ給電される。
【００２９】
また、高圧電極４１の長手方向の端部、すなわち、高圧電極４１のＹ軸方向における両側の端部４１ａには、図４に示すように、第２保持部材５１が配置されている。第２保持部材５１は、Ｚ軸方向に積層される高圧電極本体４１０同士を連結している。そして、第２保持部材５１が筐体１０に固定されることで、筐体１０に対して高圧電極４１が保持されている。第２保持部材５１は、棒状に形成されており、複数の高圧電極４１の各端部４１ａに設けられた挿通孔５２に挿通することにより、複数の高圧電極４１を一体に連結するとともに、筐体１０にしっかりと固定している。
【００３０】
このように、高圧電極４１は、筐体１０側に設けられた高圧電極保持部材である第１保持部材４１５と第２保持部材５１とにより保持された状態で、Ｘ方向、Ｙ方向、Ｚ方向のいずれの方向にもずれないように、筐体１０にしっかりと取付けられている。
【００３１】
集塵電極４２は、図３Ａおよび後述の図５Ａ等に示すように、高圧電極４１と同様の構造となっており、複数の集塵電極本体４２０を有する。集塵電極本体４２０は平板状に形成されており、その長手方向（Ｙ軸方向）には、Ｘ軸方向の一端から他端側に向かって切り欠かれた第２の切欠部４２６が複数箇所形成されている。すなわち、集塵電極本体４２０はＺ軸方向から見た形状が櫛歯状に形成されている。かかる集塵電極本体４２０が、その厚み方向、すなわちＺ方向に所定間隔をあけて複数積層されている。
【００３２】
取外しユニット２０の内部において、複数の集塵電極４２を、所定間隔をあけて積層するために、ここでは、集塵電極４２をクリップ可能な集塵電極保持部材４２５を用いている。なお、後述するように、集塵電極保持部材４２５の構造は、高圧電極４１を保持する第１保持部材４１５（図４参照）と同様である。
【００３３】
高圧電極４１と集塵電極４２とにより、集塵部４を機能させるためには、取外しユニット２０を筐体１０の電気集塵機収容空間１６へ装着するが、装着した状態では、複数の高圧電極４１と複数の集塵電極４２とが平行かつ互い違いに配置され、積層された状態となる。このとき、図３Ｂに示すように、高圧電極４１には、集塵電極４２を保持する集塵電極保持部材４２５と対応する位置に第１の切欠部４１６が形成されているため、集塵電極保持部材４２５は、高圧電極４１と接触することなく第１の切欠部４１６内に入り込んだ状態となる。他方、集塵電極４２には、高圧電極４１を保持する第１保持部材４１５と対応する位置に第２の切欠部４２６が形成されているため、第１保持部材４１５は、集塵電極４２と接触することなく第２の切欠部４２６内に入り込んだ状態となる。
【００３４】
このように、取外しユニット２０を筐体１０の電気集塵機収容空間１６へ装着すると、図２Ａに示すように、筐体１０側に固定された高圧電極４１と、取外しユニット２０に設けられた集塵電極４２とにより、集塵部４が構成され、荷電部３とともに、電気集塵機２として機能する。
【００３５】
次に、取外しユニット２０の構造について、図５Ａ〜図１０を参照しながら、より具体的に説明する。図５Ａは、実施例の空気清浄機１の筐体１０を前面側から見た斜視図、図５Ｂは、空気清浄機１の筐体１０から取外しユニット２０を取り外した状態を示す前面側から見た斜視図である。また、図６Ａは、実施例の空気清浄機１の筐体１０を背面側から見た斜視図、図６Ｂは、空気清浄機１の筐体１０から取外しユニット２０を取り外した状態を示す背面側から見た斜視図である。なお、図５Ａ〜図６Ｂに示す取外しユニット２０は、便宜上、集塵電極４２の上流側に設けられる荷電部３（図２Ａおよび図２Ｂ参照）が省略されている。
【００３６】
また、図７は、筐体１０に設けられた電気集塵機収容空間１６を正面視で示す模式図、図８は、電気集塵機収容空間１６を断面視で示す模式図である。また、図９は、電気集塵機収容空間１６に取外しユニット２０を装着した状態を模式的に示す正面図、図１０は、電気集塵機収容空間１６に取外しユニット２０を装着した状態を断面視で示す模式図である。
【００３７】
図５Ａおよび図５Ｂに示すように、複数の集塵電極４２が設けられた取外しユニット２０は、矩形の箱状に形成された枠部２０１を備えており、筐体１０の前面に設けられた電気集塵機収容空間１６に収容される。なお、取外しユニット２０を電気集塵機収容空間１６に収容する際に、常に一定の位置に収容されるように、例えば、電気集塵機収容空間１６が形成された筐体１０側と取外しユニット２０の枠部２０１とに凹凸からなる図示しない案内部を設けておくとよい。
【００３８】
また、図５Ａおよび図５Ｂに示すように、複数の集塵電極４２を枠部２０１の内部に所定間隔をあけて積層するために、ここでは、高圧電極４１を保持する第１保持部材４１５（図４参照）と同様な構成の集塵電極保持部材４２５を用いている。すなわち、集塵電極保持部材４２５は、図５Ｂに示すように、Ｘ軸方向に延在するクリップ部４２５ａと、Ｚ軸方向に延在する連結部４２５ｂとを有する。クリップ部４２５ａは、平板状の集塵電極４２を厚み方向（Ｚ軸方向）で挟持する第２の挟持部として機能している。連結部４２５ｂは、複数のクリップ部４２５ａ同士を所定間隔で連結している。なお、高圧電極４１を挟持する第１の挟持部としてのクリップ部４１５ａ、および、集塵電極４２を挟持する第２の挟持部としてのクリップ部４２５ａは、取外しユニット２０の着脱方向（Ｘ方向）と平行に配置されている。そのため、取外しユニット２０を着脱する際に、クリップ部４１５ａとクリップ部４２５ａとが接触することが防止できる。
【００３９】
図７および図８に示すように、電気集塵機収容空間１６には、電気集塵機２の集塵部４の一部を構成する複数の高圧電極４１が設けられている。前述したように、複数の高圧電極４１は、電気集塵機収容空間１６を区画する後面部１６ａ（図２Ｂ参照）に予め固定されている。
【００４０】
また、本実施例では、複数の高圧電極４１の端部を、前述した棒状の第２保持部材５１に加え、例えば筐体１０側に形成した溝部のような保持構造４１８により保持している。このように、高圧電極４１は、筐体１０側に、確実に位置決めされた状態で配置されている。さらに、複数の高圧電極４１および複数の集塵電極４２は、各々のＺ軸方向に所定の間隔が設けられている。したがって、電気集塵機収容空間１６に取外しユニット２０が挿入される際に、高圧電極４１と集塵電極４２とが干渉することはない。
【００４１】
また、図６Ａおよび図６Ｂに示すように、筐体１０の内部には、電気集塵機収容空間１６の奥側（Ｘ軸の負方向）を区画する後面部１６ａ（図２Ｂ、図９参照）が形成された内部壁１０ａが設けられている。そして、この内部壁１０ａに、複数の高圧電極４１を保持して給電する第１保持部材４１５が取付けられる。図示するように、第１保持部材４１５の上下端部は、集塵部用高圧電源４０に導通し、電気集塵機収容空間１６を高さ方向で挟むように内部壁１０ａに設けられた給電金属部材４１７に固定されている。
【００４２】
また、図６Ｂに示すように、本実施例における取外しユニット２０には、筐体１０の内部壁１０ａに対向する枠部に第１スイッチＳＷ１が設けられている。一方、図８に示すように、筐体１０側には、第１スイッチＳＷ１と対応する位置に第２スイッチＳＷ２が設けられている。これら第１スイッチＳＷ１と第２スイッチＳＷ２とにより、図１０に示すように通電スイッチＳＷが構成される。すなわち、取外しユニット２０が、電気集塵機収容空間１６に収容された際に、第１スイッチＳＷ１と第２スイッチＳＷ２とが接触することによって、通電スイッチＳＷがオンとなり、集塵部用高圧電源４０と高圧電極４１との導通がなされる。
【００４３】
このように、第１スイッチＳＷ１および第２スイッチＳＷ２で構成される物理的な通電スイッチＳＷ（図１０参照）により、取外しユニット２０が筐体１０に装着された場合にのみ、高圧電極４１は集塵部用高圧電源４０と通電し電源が供給されることになる。したがって、取外しユニット２０を筐体１０から取り外した際に、電気集塵機収容空間１６に露出した状態の高圧電極４１に誤って触れても感電のおそれがない。
【００４４】
ところで、図６Ａ〜図１０を参照して説明したように、筐体１０に設けられた集塵部４の一部を構成する高圧電極４１への給電態様としては、集塵部用高圧電源４０に接続した給電金属部材４１７に連結される第１保持部材４１５を介して行われることとしていた。しかし、図１１に示すように、高圧電極４１の一側端に直接給電する金属製の直接給電部材４１７ａを設けることもできる。図１１は、高圧電極４１への給電構造の変形例を示す模式図である。
【００４５】
前述したように、複数の高圧電極４１は、それぞれ給電部材を兼用する第１保持部材４１５のクリップ部４１５ａにより挟持され、保持されつつ給電されるが、図１１に示すように、直接給電部材４１７ａから高圧電極４１の一側端に直接給電することもできる。この場合、直接給電部材４１７ａを、筐体１０側に形成した保持構造４１８（図７および図９参照）の溝部内に配設することができる。そして、この直接給電部材４１７ａを、筐体１０の内部壁１０ａ（図６Ａおよび図６Ｂ参照）に設けられた給電金属部材４１７に接続する。
【００４６】
また、上述してきた実施例では、複数の高圧電極４１の保持構造の一例として、高圧電極４１の端部４１ａの保持構造については、複数の高圧電極４１の端部４１ａを棒状の第２保持部材５１により連結し（図４参照）、この第２保持部材５１を介して筐体１０に固定していた。しかし、棒状の第２保持部材５１に代えて、図１２に示すように、凹部と凸部との係合による保持構造とすることもできる。図１２は、高圧電極４１の端部４１ａを固定する構造の変形例を示す模式図である。
【００４７】
図１２に示すように、筐体１０の側に支持爪５３ａを有する係止部材５３を設ける一方、高圧電極４１の端部４１ａに支持爪５３ａが係合する切欠部５３ｂを形成する。このように、高圧電極４１の端部４１ａについては、係合構造によっても長手方向（Ｙ軸方向）への位置ずれなどを防止することができる。なお、図４に示した棒状の第２保持部材５１や、図１２に示した支持爪５３ａおよび係止部材５３を金属製とすれば、これらについても給電部材を兼用することができる。
【００４８】
上述してきた実施例より、以下の電気集塵機２、および空気清浄機１が実現される。
【００４９】
（１）放電電極と対向電極とを備え、放電により塵埃を帯電させる荷電部３と、荷電部３で帯電された塵埃を捕集する集塵部４と、荷電部３および集塵部４が収容される枠部２０１を有し、所定の筐体１０から着脱可能に設けられる取外しユニット２０とを備え、集塵部４は、筐体１０に保持された平板状の複数の高圧電極４１と、取外しユニット２０に保持された平板状の複数の集塵電極４２とを備え、取外しユニット２０は、筐体１０に複数の高圧電極４１が保持された状態で、筐体１０から着脱可能に形成され、筐体１０に取外しユニット２０を装着した状態では、高圧電極４１と集塵電極４２とが平行かつ互い違いに配置される、電気集塵機２。
【００５０】
かかる構成を備える電気集塵機２によれば、取外しユニット２０が高圧電極４１を保持しない分、塵埃を主に補足する集塵電極４２を保持する取外しユニット２０の軽量化が図れ、これを筐体１０から容易に着脱することができるため、メンテナンスも容易となる。
【００５１】
（２）上記（１）において、荷電部３は、集塵電極４２と一体で取外しユニット２０に収容され、高圧電極４１に給電する電源部となる集塵部用高圧電源４０は、筐体１０側に収容される、電気集塵機２。
【００５２】
かかる構成を備える電気集塵機２によれば、高圧電極４１に給電する集塵部用高圧電源４０を筐体１０側に残すことで、取外しユニット２０を更に軽量化することができ、上記（１）の効果をより高めることができる。
【００５３】
（３）上記（１）または（２）のいずれかにおいて、取外しユニット２０が筐体１０に装着された際に、高圧電極４１と集塵部用高圧電源４０とを通電する通電スイッチＳＷを備える、電気集塵機２。
【００５４】
かかる構成を備える電気集塵機２によれば、（１）または（２）の効果に加え、取外しユニット２０を筐体１０から取り外した状態で、誤って高圧電極４１に触れても感電のおそれがない。
【００５５】
（４）上記（１）〜（３）のいずれかにおいて、複数の高圧電極４１同士を所定の間隔で保持する高圧電極保持部材（第１保持部材４１５）と、複数の集塵電極４２同士を所定の間隔で保持する集塵電極保持部（第２保持部材４２５）とが設けられ、高圧電極４１は、集塵電極保持部材４２５と対応する位置に形成された第１の切欠部４１６を有し、集塵電極４２は、高圧電極保持部材（第１保持部材４１５）と対応する位置に形成された第２の切欠部４２６を有する、電気集塵機２。
【００５６】
かかる構成を備える電気集塵機２によれば、上記（４）の効果に加え、取外しユニット２０を筐体１０の電気集塵機収容空間１６へ装着した際に、集塵電極保持部材４２５は、第１の切欠部４１６内に入り込んで高圧電極４１と接触するおそれはなく、また、第１保持部材４１５は、第２の切欠部４２６内に入り込んで、集塵電極４２と接触するおそれがない。
【００５７】
（５）上記（４）において、高圧電極保持部材（第１保持部材４１５）は、平板状の高圧電極４１を厚み方向で挟持する複数の第１の挟持部（クリップ部４１５ａ）と、複数の第１の挟持部同士を連結する第１の連結部（連結部４１５ｂ）とを備え、集塵電極保持部（第２保持部材４２５）は、平板状の集塵電極４２を厚み方向で挟持する複数の第２の挟持部（クリップ部４２５ａ）と、複数の第２の挟持部同士を連結する第２の連結部（４２５ｂ）とを備え、第１の挟持部（クリップ部４１５ａ）および第２の挟持部（クリップ部４２５ａ）は、取外しユニット２０の着脱方向（Ｘ方向）と平行に形成されている、電気集塵機２。
【００５８】
かかる構成を備える電気集塵機２によれば、上記（４）の効果に加え、取外しユニット２０を筐体１０から取り外す際に、第１の挟持部と第２の挟持部とが接触するおそれがない。
【符号の説明】
【００５９】
１  空気清浄機
２  電気集塵機
３  荷電部
４  集塵部
１０  筐体
１６  電気集塵機収容空間
２０  取外しユニット
４０  集塵部用高圧電源
４１  高圧電極
４１ａ  端部
４２  集塵電極
５１  第２保持部材
４１５  第１保持部材（高圧電極保持部材）
４１５ａ  クリップ部（第１の挟持部）
４１５ｂ  連結部
４１６  第１の切欠部
４１７  給電金属部材
４２５  集塵電極保持部材
４２５ａ  クリップ部（第２の挟持部）
４２５ｂ  連結部
４２６  第２の切欠部
ＳＷ  通電スイッチ
【図１】
2019177345.tif 000003
【図２Ａ】
2019177345.tif 000004
【図２Ｂ】
2019177345.tif 000005
【図３Ａ】
2019177345.tif 000006
【図３Ｂ】
2019177345.tif 000007
【図４】
2019177345.tif 000008
【図５Ａ】
2019177345.tif 000009
【図５Ｂ】
2019177345.tif 000010
【図６Ａ】
2019177345.tif 000011
【図６Ｂ】
2019177345.tif 000012
【図７】
2019177345.tif 000013
【図８】
2019177345.tif 000014
【図９】
2019177345.tif 000015
【図１０】
2019177345.tif 000016
【図１１】
2019177345.tif 000017
【図１２】
2019177345.tif 000018